(57)【要約】【課題】水管継手構造の提供。【解決手段】ホース用万能継手が水管継手構造に設けられ、そのメス部材は散水器等その他の散水設備が装着可能であり、当該水管継手とメス部材の隙間には漏れ防止部が設けられ、水管継手は引止め部によりメス部材内孔の突起部底面において止められ、水管継手には固定溝があり、メス部材が固定溝に相対する位置にはスロット、穴またはネジ穴が設けられ、ロックピン、弾性半円リング、Ｃ形スナップまたはボルトで締め付けて固定溝に固定する。水管継手とメス部材が隔離しないように措置され、水管継手とメス部材は個別に回転運動を行うが、相互に干渉しないような水管継手構造。【選択図】図１
2006258280.tif 000002
【特許請求の範囲】
【請求項１】
内孔、内孔の突起部および固定溝に呼応する円孔を持つメス部材；漏れ防止部を具え、引止め部および固定溝を有する水管継手；メス部材の円孔において固定され、水管継手の固定溝に至る固定部品；を含み、この組成において、水管継手とメス部材の隙間には漏れ防止部が設けられ、水管継手は引止め部によりメス部材内孔の突起部底面において止められることにより、水管継手とメス部材が隔離しないように措置され、水管継手とメス部材が個別に回転運動を行うような水管継手構造。
【請求項２】
請求項１の水管継手構造において、ロックピンまたは弾性半月リングを固定部品とする水管継手構造。
【請求項３】
請求項１の水管継手構造において、メス部材の円孔にネジ山が設けられ、ボルトを固定部品とする水管継手構造。
【請求項４】
請求項１の水管継手構造において、メス部材の円孔にスロットが施され、C形スナップを固定部品とする水管継手構造。
【発明の詳細な説明】
【技術分野】
【０００１】
本発明は、ホース装着可能の水管継手と、散水器等その他の散水設備に装着可能のメス部材が含まれ、当該水管継手とメス部材の隙間には漏れ防止部が設けられ、水管継手は引止め部によりメス部材内孔の突起部底面において止められ、水管継手には固定溝があり、メス部材が固定溝に相対する位置にはスロット、穴またはネジ穴が設けられ、ロックピン、弾性半円リング、Ｃ形スナップまたはボルトで締め付けて固定溝に固定する。水管継手とメス部材が隔離しないように措置されており、両者は個別に回転運動を行うが、相互に干渉しないような水管継手構造を提供する。
【背景技術】
【０００２】
ホースは使用に当たり、伸ばす、引っ張る、巻き取る等の動作が伴うことから、ホースは旋回運動しがちであるが、もし水管継手が固定されてしまうと、ホースは湾曲し、詰まり発生により水流、ホース収納または使用のための引き動作に影響を与える。
【０００３】
よって、固定式水管継手はホース湾曲の問題を改善することができず、それどころかホースの湾曲をより深刻化し使用上の困難をもたらすのが欠点であった。
【発明の開示】
【発明が解決しようとする課題】
【０００４】
本発明の主な目的は上述の各欠点を除去し、そのうち当該水管継手構造はメス部材と水管継手に分けられ、その隙間には漏れ防止部が施され、水管継手にはホースが装着でき、メス部材には散水設備が固定でき、水管継手は引止め部によりメス部材内孔の突起部底面において止められ、水管継手には固定溝があり、メス部材が固定溝に呼応する位置にはスロット、穴またはネジ穴が設けられ、ロックピン、弾性半円リング、Ｃ形スナップまたはボルトで締め付けて固定溝に固定する。水管継手とメス部材が隔離しないように措置されており、当該水管継手とメス部材が個別に回転運動を行うが、相互に干渉しないような特徴を持つ水管継手構造を提供することである。
【課題を解決するための手段】
【０００５】
請求項１の発明は、内孔、内孔の突起部および固定溝に呼応する円孔を持つメス部材；漏れ防止部を具え、引止め部および固定溝を有する水管継手；メス部材の円孔において固定され、水管継手の固定溝に至る固定部品；を含み、この組成において、水管継手とメス部材の隙間には漏れ防止部が設けられる。水管継手は引止め部によりメス部材内孔の突起部底面において止められることにより、水管継手とメス部材が隔離しないように措置され、水管継手とメス部材が個別に回転運動を行うような水管継手構造としている。
請求項２の発明は、請求項１の水管継手構造において、ロックピンまたは弾性半月リングを固定部品とする水管継手構造としている。
請求項３の発明は、請求項１の水管継手構造において、メス部材の円孔にネジ山が設けられ、ボルトを固定部品とする水管継手構造としている。
請求項４の発明は請求項１の水管継手構造において、メス部材の円孔にスロットが施され、C形スナップを固定部品とする水管継手構造としている。
【発明の効果】
【０００６】
本発明の主な目的は上述の各欠点を除去して、そのうち当該水管継手構造はメス部材と水管継手に分けられ、その隙間には止水ガスケットが施され、水管継手にはホースが装着でき、メス部材には噴水設備が固定でき、水管継手は引止め部によりメス部材管穴の突縁部底面において止められ、水管継手には固定溝があり、メス部材が固定溝に呼応する位置にはスロット、ピンホールまたはねじ穴が設けられ、ロックピン、弾性半円リング、Ｃ形スナップまたはボルトで締め付けて定位凹溝に固定する。水管継手とメス部材が隔離しないように措置されており、当該水管継手とメス部材が個別に回転運動を行うが、相互に干渉しないような特徴を持つ水管継手構造を提供することである。
【発明を実施するための最良の形態】
【０００７】
本発明は水管継手構造の設計を提供する。
【０００８】
本発明の構造設計および技術に対する理解を深めるため、ここに図面を配して、以下、説明を試みたい。
【０００９】
第１図に示すのは本発明の立体分解図であり、ソフト材質の手持ち端１１が設けられたメス部材１０、突起部１３を含む内孔１２（第２図を参照）、底面１３１と頂部１３２を持つ突起部１３、水管継手２０の固定溝２４に相対する位置には円孔１５が設けられたメス部材１０、散水設備（図中未表示）を固定するために当該メス部材１０の外周に施されたオスネジ山１４；
万能継手２１、突出した引止め部２２、漏れ防止部３０のある溝２３および固定溝２４を具えた水管継手２０；
止水パッキンとなる漏れ防止部３０；
固定部品としてピン４０または弾性半円リング４１があり、メス部材１０の円孔１５に差し込まれたピン４０または弾性半円リング４１の先端が水管継手２０における固定溝２４まで達するような構造；を主に含む水管継手構造である。上述の構成分子によって本発明である水管継手構造を構成する。
【００１０】
第２、３図に示すのは、本発明組合せ後の断面図および別の実施例における組合せ後の断面図であり、水管継手２０とメス部材１０の間に漏れ防止部３０を設け、当該漏れ防止部３０は水管継手２０の溝２３に嵌め込まれ、水管継手２０は引止め部２２によりメス部材１０の内孔１２における突起部１３底面１３１で止められる。水管継手２０の固定溝２４はメス部材１０の円孔１５と重なり合い、ロックピン４０を当該円孔１５に差し込み、ロックピン４０の先端が水管継手２０における固定溝２４まで達して固定されることにより、水管継手２０とメス部材１０が隔離しないように措置されており、しかも水管継手とメス部材が個別に回転運動を行うが、相互に干渉しないような関係にある。
【００１１】
上述の水管継手２０の万能継手２１はホース装着に供され、メス部材１０のオスネジ山１４は噴水設備取り付けに供される。
【００１２】
上述のロックピン（40）は弾性半円リング４１によって代用でき、当該弾性半円リング４１の突起４１１が円孔１５を貫通し、水管継手２０における固定溝２４まで達して、水管継手の脱落を防止し、しかも水管継手とメス部材が個別に回転運動を行える効果を持つ。
【００１３】
第４、５図に示すのは本発明のいま一つの典型的な実施例における組合せ後の断面図および立体分解図であり、水管継手２０とメス部材１０の間に漏れ防止部３０を設け、当該漏れ防止部３０は水管継手２０の溝２３に嵌め込まれ、水管継手２０は引止め部２２によりメス部材１０の内孔１２における突起部１３の底面１３１で止められ、水管継手２０には固定溝２４が設けられる。当該メス部材１０が当該固定溝２４に呼応する箇所にはスロット１６があり、当該スロット１６にC形スナップ５０を固定溝２４に至るまで嵌め込むことにより、水管継手２０とメス部材１０が隔離しないように措置されており、しかも水管継手とメス部材が個別に回転運動を行うが、相互に干渉しないような関係にある。
【００１４】
第６図に示すのは本発明のさらにいま一つの典型的な実施例における組合せ後の断面図であり、水管継手２０とメス部材１０の間に漏れ防止部３０を設け、当該漏れ防止部３０は水管継手２０の溝２３に嵌め込まれ、水管継手２０は引止め部２２によりメス部材１０の内孔１２における突起部１３底面１３１で止められ、水管継手２０には固定溝２４が設けられており、当該メス部材１０が当該固定溝２４に呼応する箇所にはネジ穴１７が設けられる。ボルト６０を当該ネジ穴１７に施し、水管継手２０の固定溝２４に至るまで締め込むことにより、水管継手２０とメス部材１０が隔離しないように措置され、しかも水管継手とメス部材が個別に回転運動を行うが、相互に干渉しないような関係にある。
【００１５】
上述より、本発明の水管継手構造において、水管継手とメス部材は個別に回転運動を行うが、相互に干渉しないような関係にあり、ホース装着・使用に当たり、ホースのねじれや曲がりによる損壊、水流詰まりを回避し、両者の運動に当たっても水漏れは発生せず、実用本位の水管継手構造からくる効用を達成していることがわかる。
【図面の簡単な説明】
【００１６】
【図１】本発明の水管継手の立体分解図である。
【図２】本発明水管継手の組合せ後の断面図である。
【図３】本発明水管継手の別の実施例における組合せ後の断面図である。
【図４】本発明水管継手のいま一つの実施例における立体分解図である。
【図５】本発明水管継手のいま一つの実施例における組合せ後の断面図である。
【図６】本発明水管継手のまた一つの実施例における組合せ後の断面図である。
【符号の説明】
【００１７】
１０  メス部材
１１  手持ち端
１２  内孔
１３  突起部
１３１  底面
１４  オスネジ山
１５  円孔
１６  スロット
１７  ネジ穴
２０  水管継手
２１  万能継手
２２  引止め部
２３  溝
２４  固定溝
３０  漏れ防止部
４０  ロックピン
４１  弾性半円リング
４１１  突起
５０  Ｃ形スナップ
６０  ボルト
７０  ホース
【図１】
2006258280.tif 000003
【図２】
2006258280.tif 000004
【図３】
2006258280.tif 000005
【図４】
2006258280.tif 000006
【図５】
2006258280.tif 000007
【図６】
2006258280.tif 000008